(57)【特許請求の範囲】
【請求項１】
手動ハンドルにより回転させられる巻取軸にシート状物品を筒状に巻き取る装置であって、
前記巻取軸は、
一端に設けられて前記手動ハンドルにより回転させられる回転軸本体と、
該回転軸本体に固定されるとともに、軸方向に沿って延在し他端に抜ける形状のスリットが形成された筒状の巻取部と、を備え、
一端縁部が前記巻取部に近接するように傾斜配置されてシート状物品の端縁部を前記スリットに差し込む際のガイドとなる装着ガイド部を有し、
前記スリットが前記装着ガイド部の前記一端縁部に近接する位置で前記手動ハンドルに回転抵抗を発生させる停止感覚発生機構を有することを特徴とするシート状物品の巻取装置。
【請求項２】
前記巻取部の外周面を、径方向に所定の間隔をあけて覆う巻取ガイド部を有することを特徴とする請求項１に記載のシート状物品の巻取装置。
【発明の詳細な説明】
【技術分野】
【０００１】
本発明は、カレンダーやポスター等のシート状物品を筒状に巻き取るシート状物品の巻取装置に関する。
【背景技術】
【０００２】
カレンダーやポスター等のシート状物品を巻装して発送する書類発送用具がある（例えば、特許文献１参照）。
【先行技術文献】
【特許文献】
【０００３】
【特許文献１】特開２００２−４６７８６号公報（図１，図２）
【発明の概要】
【発明が解決しようとする課題】
【０００４】
複数枚のシートを重ねて構成されるカレンダーや、一枚のシートからなるポスター等のシート状物品は、印刷会社から発注会社へ納品される際に、広げられ平積みされた状態で荷受されるのが一般的である。一方で、これらを運搬等する場合、広げた状態のままでは取り扱いが面倒なため、担当者が一部ずつ、手作業で筒状に丸める必要がある。
【０００５】
この際、処理すべきシート状物品の部数が少量であれば、担当者の負担も大きくないが、例えば、年末時に取引先へ配るカレンダー等の場合にあっては、処理すべき部数が大量になってしまうことも想定される。
【０００６】
この場合、担当者が一部ずつ手作業で筒状に形成するとなると過大な負担になり、日々の通常業務に支障をきたすことが考えられる。
【０００７】
本発明は、上記問題に鑑みなされたもので、シート状物品を容易に筒状に丸めることができるシート状物品の巻取装置の提供を目的とする。
【課題を解決するための手段】
【０００８】
上記目的を達成するために、請求項１に係る発明は、手動ハンドルにより回転させられる巻取軸にシート状物品を筒状に巻き取る装置であって、前記巻取軸は、一端に設けられて前記手動ハンドルにより回転させられる回転軸本体と、該回転軸本体に固定されるとともに、軸方向に沿って延在し他端に抜ける形状のスリットが形成された筒状の巻取部と、を備え、一端縁部が前記巻取部に近接するように傾斜配置されてシート状物品の端縁部を前記スリットに差し込む際のガイドとなる装着ガイド部を有し、前記スリットが前記装着ガイド部の前記一端縁部に近接する位置で前記手動ハンドルに回転抵抗を発生させる停止感覚発生機構を有することを特徴としている。
【０００９】
請求項２に係る発明は、請求項１に係る発明において、前記巻取部の外周面を、径方向に所定の間隔をあけて覆う巻取ガイド部を有することを特徴としている。
【発明の効果】
【００１２】
請求項１に係る発明によれば、筒状の巻取部の、軸方向に沿って延在し端部に抜ける形状のスリットに、シート状物品の端縁部が差し込まれた状態で、手動ハンドルにより巻取部が回転させられると、シート状物品を巻取部が筒状に巻き取ることになり、その後、筒状を維持した状態のままシート状物品が巻取部のスリットが抜ける側から抜き出されることになる。このようにして、シート状物品を容易に筒状に丸めることができる。
また、一端縁部が巻取部に近接するように傾斜配置された装着ガイド部の案内で、シート状物品の端縁部をスリットに容易に差し込むことができる。したがって、シート状物品を一層容易に筒状に丸めることができる。
また、停止感覚発生機構が回転抵抗を発生させる位置で手動ハンドルを停止させれば、スリットが装着ガイド部の一端縁部に近接する位置で巻取部を停止させることができる。したがって、シート状物品を一層容易に筒状に丸めることができる。
【００１３】
請求項２に係る発明によれば、シート状物品を巻取部が筒状に巻き取る際に、巻取部の外周面を、径方向に所定の間隔をあけて覆う巻取ガイド部が、シート状物品の戻りを規制することになる。したがって、シート状物品を一層容易に筒状に丸めることができる。
【図面の簡単な説明】
【００１６】
【図１】本発明の一実施形態に係るシート状物品の巻取装置を示す斜視図である。
【図２】本発明の一実施形態に係るシート状物品の巻取装置を示す平面図である。
【図３】本発明の一実施形態に係るシート状物品の巻取装置を示す正面図である。
【図４】本発明の一実施形態に係るシート状物品の巻取装置を示す側面図である。
【発明を実施するための形態】
【００１７】
本発明に係る一実施形態を図面を参照して以下に説明する。
【００１８】
図１〜図４に示す本実施形態の巻取装置１１は、複数枚のシートを重ねて構成されるカレンダーや、一枚のシートからなるポスター等のシート状物品を筒状に巻き取ることで丸めるものである。
【００１９】
巻取装置１１は、図１に示すように下部にフレーム１２を有している。フレーム１２は、図２に示すように、同長さで互いに平行に配置される略角筒状の二本の主フレーム材１３と、これら主フレーム材１３に直交しこれら主フレーム材１３を連結させる略角筒状の三本の連結フレーム材１４と、二本の主フレーム材１３のそれぞれの両端の下部に取り付けられるゴム製の図３および図４に示す足部材１５とからなっている。
【００２０】
主フレーム材１３には、長さ方向に延在する全ての面に、長さ方向に延在する図２に示す係止溝１３ａが形成されており、連結フレーム材１４にも、長さ方向に延在する全ての面に、長さ方向に延在する係止溝１４ａが形成されている。係止溝１３ａ，１４ａは、底側の幅が開口側の幅よりも広くされており、ナットが底側にスライド自在かつ回転不可に係合可能となっている。主フレーム材１３および連結フレーム材１４は、アルミニウム合金の押出材をそれぞれの長さに切断することで形成されている。
【００２１】
ここで、一本の連結フレーム材１４が主フレーム材１３の一端同士を連結させており、他の一本の連結フレーム材１４が主フレーム材１３の他端同士を連結させていて、残りの一本の連結フレーム材１４が主フレーム材１３の一端側の中間位置同士を連結させている。そして、間隔が近い二本の連結フレーム材１４上に、これらに跨って支持台２２が載置されている。支持台２２は、係止溝１４ａに挿入される図示略のナットとこれに螺合されるボルト２３とで二本の連結フレーム１４に固定されており、ボルト２３をナットに対し緩めることで連結フレーム１４に沿う方向に位置調整可能となっている。
【００２２】
支持台２２には、主フレーム材１３の長さ方向に沿って水平配置される回転軸本体２７が二つの軸受２８によって回転可能に支持されており、回転軸本体２７には、中間位置に図４に示す傘歯車２９が固定されている。また、支持台２２の上部には、鉛直方向に沿うハンドル軸３１が二つの軸受３２によって回転可能に支持されており、このハンドル軸３１の下端部には上記傘歯車２９に噛み合う傘歯車３３が固定されている。
【００２３】
そして、ハンドル軸３１の支持台２２から突出する上端部には手動ハンドル（回転手段）３５が固定されている。手動ハンドル３５は、ハンドル軸３１に固定されるボス部３６と、ボス部３６から径方向外側に延出する複数のスポーク部３７と、これらスポーク部３７に連結される円環状のリム部３８と、上方に延出するようにリム部３８に鉛直軸回りに回転自在に連結される回転棒３９とを有している。よって、回転棒３９が把持されて旋回させられることにより、手動ハンドル３５、ハンドル軸３１および傘歯車３３が一体に回転し、これらと同期して、傘歯車３３に噛み合う傘歯車２９および回転軸本体２７が一体回転する。
【００２４】
回転軸本体２７の支持台２２から突出する部分には、有底円筒状の巻取部４２が同軸をなして底部において固定されている。この巻取部４２は、図２および図３に示すように軸方向一端が回転軸本体２７に連結されており、この一端側を除いて、巻取部４２には、図１に示すように軸方向に沿う直線状のスリット４４が形成されている。スリット４４は、一定幅で巻取部４２の軸方向他端つまり手動ハンドル３５および回転軸本体２７とは反対側に抜ける形状をなしている。回転軸本体２７と巻取部４２とが、水平配置されて手動ハンドル３５と同期回転する巻取軸４５を構成する。言い換えれば、巻取軸４５は、一端に設けられて手動ハンドル３５への入力により回転させられる回転軸本体２７と、軸方向に沿って延在し他端に抜ける形状のスリット４４が形成された筒状の巻取部４２とを備えている。
【００２５】
ここで、図４に示す回転軸本体２７、傘歯車２９、ハンドル軸３１および傘歯車３３のいずれかには、図示は略すが、径方向に凹む凹部が形成されており、支持台２２には、この凹部に入り込み可能な位置にボールプランジャが取り付けられている。よって、回転軸本体２７は、この凹部にボールプランジャが入り込む位置では、それ以外の位置よりも大きい回転抵抗が発生しこの位置に止まろうとすることになる。よって、これら凹部とボールプランジャとが、手動ハンドル３５に所定の回転位置で回転抵抗を発生させる停止感覚発生機構を構成している。
【００２６】
図２に示すように手動ハンドル３５を左側に巻取部４２を手動ハンドル３５よりも右側に配置した状態で、奥側となる一方の主フレーム材１３には、巻取ガイド部材４８が、係止溝１３ａに挿入される図示略のナットとこれに螺合される蝶ボルト４９とで固定されている。この巻取ガイド部材４８は、蝶ボルト４９をナットに対し緩めると主フレーム材１３に沿って摺動可能となり、蝶ボルト４９をナットに対し締めることで任意の位置で主フレーム材１３に固定可能となっている。巻取ガイド部材４８は、蝶ボルト４９およびナットによって主フレーム材１３に摺動可能に連結される取付部５１と、図４に示すように巻取部４２の外周面を、径方向に所定の間隔をあけて覆うように取付部５１に固定される円弧状の巻取ガイド部５２とを有している。よって、巻取ガイド部５２は、主フレーム材１３の長さ方向つまり巻取軸４５の軸方向に沿って位置調整可能に設けられている。巻取ガイド部５２は、巻取部４２の外周面と同心円形状をなしており、樹脂材からなっている。
【００２７】
図２に示すように手動ハンドル３５を左側に巻取部４２を手動ハンドル３５よりも右側に配置した状態で手前側となる他方の主フレーム材１３と、手動ハンドル３５とは反対側の連結フレーム１４とには、装着ガイド部材５５が、係止溝１３ａ，１４ａに挿入された図示略のナットとこれに螺合する蝶ボルト５７とで固定されている。装着ガイド部材５５は、図１に示すように、巻取軸４５と平行をなして延在するとともに幅方向の一端縁部が巻取部４２に近接するように巻取部４２側ほど高く傾斜配置される板状の装着ガイド部５８と、装着ガイド部５８の幅方向の巻取部４２とは反対側から水平に配置される板状の水平ガイド部５９と、装着ガイド部５８および水平ガイド部５９の手動ハンドル３５側の一端縁部から巻取軸４５の軸直交方向に沿って立設された板状の鉛直ガイド部６０とを有している。ここで、図４に示すように、装着ガイド部５８の水平ガイド部５９とは反対側の一端縁部は、巻取部４２の水平方向における装着ガイド部５８側の端部より下側に対向しており、装着ガイド部５８の上面の延長上に巻取部４２の中心軸線が位置する。
【００２８】
上記した図示略の停止感覚発生機構が凹部にボールプランジャを嵌合させる、上記した所定の回転位置に手動ハンドル３５があるとき、巻取部４２は、図４に示す装着ガイド部５８の巻取部４２側の一端縁部にスリット４４を近接させる状態となり、より具体的には、装着ガイド部５８の巻取部４２側の一端縁部にスリット４４の下端縁部を対向させることになる。巻取部４２がこの状態にあるとき、装着ガイド部５８の上面の延長上にスリット４４が位置することになる。よって、装着ガイド部５８でシート状物品Ｓの下面を案内することで、シート状物品Ｓは巻き取り方向の一端縁部を円滑にスリット４４内に差し込むことになる。つまり、装着ガイド部５８がシート状物品Ｓの巻き取り方向の一端縁部を巻取部４２のスリット４４に差し込む際の下面のガイドとなる。また、鉛直ガイド部６０が、シート状物品Ｓを巻取部４２側に移動させる際に手動ハンドル３５側の端縁部のガイドとなる。
【００２９】
以上に述べた本実施形態の巻取装置１１を用いてシート状物品Ｓを筒状に丸める場合に、操作者は、まず、シート状物品Ｓの巻き取り方向に対し直交する方向の幅に合わせて巻取ガイド部材４８の巻取ガイド部５２の位置を調整する。つまり、巻取ガイド部材４８の巻取ガイド部５２と装着ガイド部材５５の鉛直ガイド部６０との距離がシート状物品Ｓの幅よりも所定量短くなる位置に巻取ガイド部材４８を固定する。
【００３０】
そして、操作者は、図示略の停止感覚発生機構が凹部にボールプランジャを嵌合させる所定の回転位置に手動ハンドル３５を位置させた図４に示す状態で、装着ガイド部材５５の鉛直ガイド部６０で幅方向の一端を案内させながら、シート状物品Ｓを装着ガイド部５８上で巻取部４２側に移動させる。すると、シート状物品Ｓの巻取部４２側の一端縁部が巻取部４２のスリット４４内に円滑に入り込む。
【００３１】
このようにして、シート状物品Ｓが所定長さスリット４４に挿入された状態で、操作者が、手動ハンドル３５を所定方向に回転させると、巻取軸４５が図４の時計回り方向に回転することになり、スリット４４の回転でシート状物品Ｓの先端側が折り曲げられてスリット４４に係止され、シート状物品Ｓがこの先端側部分を先頭にして巻取部４２とともに回転して、巻取部４２の外周面と巻取ガイド部５２の内周面との間に入り込みながら巻取部４２の外周面に巻き付けられ、その後は、巻取部４２に巻き付けられた部分と巻取ガイド部５２との間に入り込みながら巻取部４２に巻き付けられた部分の外側にさらに巻き付けられる。このようにして、シート状物品Ｓがすべて巻取部４２に巻き取られると、操作者は、その端末が巻取ガイド部５２によって係止される位置で手動ハンドル３５を停止させる。これにより、シート状物品Ｓが巻取部４２に巻き取られた状態に維持される。この状態で、例えば、筒状のフィルムカバーをシート状物品Ｓの外側に被せた後、シート状物品Ｓを手動ハンドル３５とは反対側に移動させて巻取部４２から引き抜く。すると、フィルムカバーで戻りが規制され筒状に丸められた状態のシート状物品Ｓが得られることになる。なお、この引き抜き持に、シート状物品Ｓの巻取部４２に係止されていた先端側部分はスリット４４の抜け方向と引き抜きの方向とが一致するため、円滑にスリット４４から引き抜かれる。
【００３２】
以上に述べた本実施形態の巻取装置１１によれば、筒状の巻取部４２の、軸方向に沿って延在し端部に抜ける形状のスリット４４に、シート状物品Ｓの端縁部が差し込まれた状態で、手動ハンドル３５への操作により巻取部４２が回転させられると、シート状物品Ｓを巻取部４２が筒状に巻き取ることになり、その後、筒状を維持した状態のままシート状物品Ｓが巻取部４２のスリット４４が抜ける側から抜き出されることになる。このようにして、シート状物品Ｓを容易に筒状に丸めることができる。
【００３３】
また、シート状物品Ｓを巻取部４２が筒状に巻き取る際に、巻取部４２の外周面を、径方向に所定の間隔をあけて覆う巻取ガイド部５２が、シート状物品Ｓの戻りを規制することになる。したがって、シート状物品Ｓを一層容易に筒状に丸めることができる。
【００３４】
また、一端縁部が巻取部４２に近接するように傾斜配置された装着ガイド部５８の案内で、シート状物品Ｓの端縁部をスリット４４に容易に差し込むことができる。したがって、シート状物品Ｓを一層容易に筒状に丸めることができる。
【００３５】
また、停止感覚発生機構が回転抵抗を発生させる位置で手動ハンドル３５を停止させれば、スリット４４が装着ガイド部５８の一端縁部に近接する位置で巻取部４２を停止させることができる。したがって、シート状物品Ｓを一層容易に筒状に丸めることができる。
【符号の説明】
【００３６】
１１  巻取装置
２７  回転軸本体
３５  手動ハンドル（回転手段）
４２  巻取部
４４  スリット
４５  巻取軸
５２  巻取ガイド部
５８  装着ガイド部
Ｓ  シート状物品
【図１】
0005538097.tif 000002
【図２】
0005538097.tif 000003
【図３】
0005538097.tif 000004
【図４】
0005538097.tif 000005